(57)【要約】  放電ユニットは、空気を通過させる第１開口が形成された第１フレーム（１５）と、空気を通過させる第２開口が形成された第２フレーム（１４）と、空気を通過させる第３開口が形成された第３フレーム（２１）と、第１フレーム（１５）と第２フレーム（１４）との間に配置された放電電極と、第１フレーム（１５）と第２フレーム（１４）との間に配置された対向電極（１７）と、第２フレーム（１４）と第３フレーム（２１）との間に配置され、表面に電気伝導性を有する触媒が被着された脱臭フィルター（１２）と、を備え、対向電極（１７）には、第２フレーム（１４）から第３フレーム（２１）側に突出して、脱臭フィルター（１２）に接触する脱臭フィルター接触部（１７ａ）が形成される。
2016203816.tif 000002
【特許請求の範囲】
【請求項１】
空気を通過させる第１開口が形成された第１フレームと、
空気を通過させる第２開口が形成された第２フレームと、
空気を通過させる第３開口が形成された第３フレームと、
前記第１フレームと前記第２フレームとの間に配置された放電電極と、
前記第１フレームと前記第２フレームとの間に配置された対向電極と、
前記第２フレームと前記第３フレームとの間に配置され、表面に電気伝導性を有する触媒が被着された脱臭フィルターと、を備え、
前記対向電極には、前記第２フレームから前記第３フレーム側に突出して、前記脱臭フィルターに接触する脱臭フィルター接触部が形成され、
前記第１フレーム、前記第２フレームおよび前記第３フレームを組み合わせることで前記脱臭フィルターと前記対向電極とが接触することを特徴とする放電ユニット。
【請求項２】
一面に開口が形成された箱体形状を呈する本体と、
前記箱体の内部に収容された請求項１に記載の放電ユニットと、
前記箱体の内部に収容されて前記第１開口から前記第３開口に向かう空気流を発生させる送風機と、を備えることを特徴とする空調装置。
【発明の詳細な説明】
【技術分野】
【０００１】
本発明は、電気集塵および脱臭を行う放電ユニットおよび空調装置に関する。
【背景技術】
【０００２】
近年、建物内の空気を正常化された状態に維持するために空気清浄装置が広く使用されており、空気清浄装置の形態の一つに、電気集塵を行う放電ユニットを備えるものがある。これは一般的に、空気中の浮遊粒子である塵埃をコロナ放電によって帯電させるイオン化部（帯電部）と、帯電された塵埃をクーロン力で集塵板に付着させるコレクタ部(集塵部)とで構成される。また、特許文献１には、電気集塵に加えて臭気を除去する脱臭機能も備えたものが開示されている。
【先行技術文献】
【特許文献】
【０００３】
【特許文献１】特許第３８８２４６９号公報
【発明の概要】
【発明が解決しようとする課題】
【０００４】
このような放電ユニットでは、部品点数の抑制による製造コストの抑制、集塵効率の向上、および脱臭性能の向上が望まれている。【０００５】
本発明は、上記に鑑みてなされたものであって、部品点数を抑えて帯電部と集塵部を電気的に接続させることで製造コストを抑えつつ、集塵効率の向上および脱臭性能の向上を図ることのできる放電ユニットを得ることを目的とする。
【課題を解決するための手段】
【０００６】
上述した課題を解決し、目的を達成するために、本発明は、空気を通過させる第１開口が形成された第１フレームと、空気を通過させる第２開口が形成された第２フレームと、空気を通過させる第３開口が形成された第３フレームと、第１フレームと第２フレームとの間に配置された放電電極と、第１フレームと第２フレームとの間に配置された対向電極と、第２フレームと第３フレームとの間に配置され、表面に電気伝導性を有する触媒が被着された脱臭フィルターと、を備え、対向電極には、第２フレームから第３フレーム側に突出して、脱臭フィルターに接触する脱臭フィルター接触部が形成され、第１フレーム、第２フレームおよび第３フレームを組み合わせることで脱臭フィルターと対向電極が接触することを特徴とする。
【発明の効果】
【０００７】
本発明にかかる放電ユニットによれば、部品点数を抑えて帯電部と集塵部を電気的に接続させることで製造コストを抑えつつ、集塵効率の向上および脱臭性能の向上を図ることができるという効果を奏する。
【図面の簡単な説明】
【０００８】
【図１】本発明の実施の形態１にかかる空調装置の設置状態を示す断面図
【図２】実施の形態１にかかる空調装置を上面から見た図
【図３】実施の形態１にかかる空調装置を下面から見た図であって、化粧グリルを取り外した状態を示す図
【図４】実施の形態１におけるファンケーシングの斜視図
【図５】実施の形態１にかかる空調装置の側面図
【図６】実施の形態１にかかる空調装置の化粧グリルを開いた状態を示す図
【図７】実施の形態１にかかる空調装置を下面側から見た斜視図であって、化粧グリルを取り外した状態を示す図
【図８】実施の形態１における化粧グリルを対向面側から見た斜視図
【図９】実施の形態１におけるフランジリブ部分を拡大した図
【図１０】実施の形態１におけるフランジと化粧グリルとの間のうち第２の領域の外周部分を拡大した部分拡大断面図
【図１１】実施の形態１における埃取フィルターの斜視図
【図１２】実施の形態１における放電ユニットの斜視図
【図１３】実施の形態１における放電ユニットの斜視図
【図１４】実施の形態１における対向電極の斜視図
【図１５】実施の形態１における放電ユニットの断面図
【図１６】実施の形態１における放電電極の斜視図
【図１７】実施の形態１における放電部下カバーの斜視図
【図１８】実施の形態１における放電部下カバーの斜視図
【図１９】実施の形態１における放電部下カバーの斜視図
【図２０】実施の形態１における脱臭フィルターを取外した後の放電ユニットを示す斜視図
【図２１】実施の形態１における脱臭フィルターカバーを取外した後の放電ユニットを示す斜視図
【図２２】実施の形態１における放電ユニットの断面図であって、脱臭フィルターと対向電極との接地構造を示した図
【図２３】実施の形態１における放電ユニットの脱臭フィルターカバーの取外し方法を示す斜視図
【図２４】図１２に示すＡ部分での固定構造を説明するための放電ユニットの断面図
【図２５】図１２に示すＢ部分の部分拡大図
【図２６】実施の形態１における放電ユニットと放電ユニット端子台との接続部分を拡大した部分拡大断面図
【図２７】実施の形態１にかかる空調装置を下面から見た斜視図であって、化粧グリルおよび放電ユニットを取り外した状態を示す図
【図２８】実施の形態１にかかる空調装置を下面から見た斜視図であって、化粧グリルおよび放電ユニットを取り外した状態を示す図
【図２９】放電ユニット内での空気の流れを模式的に示した図
【発明を実施するための形態】
【０００９】
以下に、本発明の実施の形態にかかる空調装置を図面に基づいて詳細に説明する。なお、この実施の形態によりこの発明が限定されるものではない。
【００１０】
実施の形態１．
図１は、本発明の実施の形態１にかかる空調装置の設置状態を示す断面図である。実施の形態１にかかる空調装置は、室内の天井または壁に取付けられて、室内の空気を循環させる循環ファンである。図１では、水平な取付面である天井２６に空調装置が取り付けられた例を示している。取付面が鉛直な壁であれば、空調装置は図１に示す例から９０°傾けた姿勢で設置される。なお、以下の説明で用いる方向を示す用語は、図１に示す設置姿勢における方向を基準とする。
【００１１】
空調装置は、本体１、多翼式送風機２、化粧グリル６、放電ユニット５を備える。図２は、実施の形態１にかかる空調装置を上面から見た図である。図３は、実施の形態１にかかる空調装置を下面から見た図であって、化粧グリル６を取り外した状態を示す図である。
【００１２】
本体１は、樹脂で形成された箱体形状を呈する。本体１の一面には、図３に示すように、開口２７が形成される。開口２７は、本体１の内部に空気を取り込むための取込口２７ａと、本体１の内部から空気を吐き出すための吐出口２７ｂとに区分される。本体１の内部には、図１において矢印で示すように、取込口２７ａと吐出口２７ｂとを連通させる流路が形成される。本体１には、開口２７の周囲に張り出すフランジ１ａが形成されている。フランジ１ａは、取付面である天井２６と平行に張り出しているとも換言できる。本体１の上部には、回転式構造で容易に外部電源電線と接続可能な端子台８と、回路収納ケース９内に制御回路１０を備えている。
【００１３】
送風機である多翼式送風機２は、本体１の内部に形成された流路に設けられる。多翼式送風機２は、モーター７の駆動軸に結合されたファン３が回転することで、取込口２７ａから吐出口２７ｂに向かう空気流を流路内に発生させる。多翼式送風機２は、ファン３を収容するファンケーシング４を備える。図４は、実施の形態１におけるファンケーシング４の斜視図である。ファンケーシング４には、空気を取り込むための開口が形成される。
【００１４】
図５は、実施の形態１にかかる空調装置の側面図である。化粧グリル６は、開口２７およびフランジ１ａと対向する板状の部材である。化粧グリル６は、開口２７およびフランジ１ａから離間して配置される。化粧グリル６は、閉じた状態において、空調装置の意匠性の向上およびファン３への異物混入の防止の機能を発揮する。化粧グリル６は樹脂製の一体成形物である。化粧グリル６のうち、開口２７およびフランジ１ａと対向する対向面２８の裏面側となる外側面２９は、平坦面とされている。
【００１５】
化粧グリル６は、図５に示すように、化粧グリル６に形成された軸６ａと爪６ｂが、本体１に形成された軸受部１ｄ、爪１ｅにそれぞれ嵌合させることで本体１に固定される。図６は、実施の形態１にかかる空調装置の化粧グリル６を開いた状態を示す図である。化粧グリル６の爪６ｂを、本体１の爪１ｅから外すことで、図６に示すように軸６ａ、軸受部１ｄを中心として化粧グリル６が回転可能となり、化粧グリル６を開くことができる。
【００１６】
図１に戻って、空調装置には、開口２７およびフランジ１ａと化粧グリル６との間の空間を、開口２７と垂直な方向から見て第１の領域３１と第２の領域３２とに区分するリブ３０が設けられている。第１の領域３１は、本体１の取込口２７ａと対向する。第２の領域３２は、本体１の吐出口２７ｂと対向する。
【００１７】
図７は、実施の形態１にかかる空調装置を下面側から見た斜視図であって、化粧グリル６を取り外した状態を示す図である。図８は、実施の形態１における化粧グリル６を対向面２８側から見た斜視図である。空調装置に設けられるリブ３０は、本体１のフランジ１ａに形成されたフランジリブ１ｆ（図７を参照）と、化粧グリル６の対向面２８に形成されたグリルリブ６ｃ（図８を参照）と、ファンケーシング４に形成されたケーシングリブ４ｃとを組み合わせて構成される。より具体的には、開口２７と対向する領域においてグリルリブ６ｃとケーシングリブ４ｃとが高さ方向に重なり、その両側にフランジリブ１ｆが設けられることで、開口２７およびフランジ１ａと化粧グリル６との間の空間を第１の領域３１と第２の領域３２とに区分するリブ３０が構成される。この構成によって、リブ３０は、フランジ１ａ（化粧グリル６）の端部から他の端部まで延びるリブ３０となる。これにより、第１の領域３１および第２の領域３２の両方に、少なくともフランジ１ａ（化粧グリル６）の端面領域が含まれることとなる。
【００１８】
図９は、実施の形態１におけるフランジリブ１ｆ部分を拡大した図である。リブ３０のうち化粧グリル６の外周に近接する端部となる部分、すなわち本実施の形態におけるフランジリブ１ｆは、第２の領域３２側を向く面に、リブ３０の中央側から端部側に向かうにしたがって、第１の領域３１から離れて第２の領域３２側に向かう離間面３３が形成される。例えば、フランジ１ａの幅が２５ｍｍである場合、端部から１２．５ｍｍの範囲に離間面３３を形成する。離間面３３は、フランジリブ１ｆのうち第１の領域３１側を向く面とがなす角度を３０°とする。本実施の形態１では、フランジリブ１ｆがリブ３０の中央側から端部側に向かうにしたがって幅が広がることで、離間面３３が形成される。離間面３３が形成される部分は三角柱形状を呈している。
【００１９】
図１０は、実施の形態１におけるフランジ１ａと化粧グリル６との間のうち第２の領域３２の外周部分を拡大した部分拡大断面図である。図１０に示すように、第２の領域３２にあるフランジ１ａには、フランジ１ａの外周に向かうにしたがって化粧グリル６に近づく傾斜面３４が形成される。また、化粧グリル６のうち、傾斜面３４と対向する部分には、化粧グリル６の外周と平行に延びる突部６ｄが形成される（図８も参照）。なお、傾斜面３４は、第１の領域３１にあるフランジ１ａにも形成されていてもよい。
【００２０】
例えば、フランジ１ａの幅が２５ｍｍであり、フランジ１ａの外周端と化粧グリル６の外周端との間隔が１１ｍｍである場合に、傾斜面３４の傾斜角度を１２°とし、傾斜面３４の外周側端部とフランジ１ａの外周端との間を２ｍｍとする。また、化粧グリル６の外周端から内側に２０ｍｍとなる位置に高さ３ｍｍで突部６ｄが形成される。
【００２１】
空調装置では、多翼式送風機２が運転されてファン３が回転することで、取込口２７ａから本体１の内部に空気が取り込まれ、本体１の内部の流路を通して吐出口２７ｂから空気が吐出される。これにより、フランジ１ａと化粧グリル６との間から第１の領域３１に空気が吸い込まれるとともに、第２の領域３２からフランジ１ａと化粧グリル６との間を通して空気が吹き出される。すなわち、フランジ１ａと化粧グリル６との間のうち、第１の領域３１の外周部分は空気を吸い込む吸込口となり、第２の領域３２の外周部分は空気を吹き出す吹出口となる。したがって、空調装置では、リブ３０を挟んで吸込口と吹出口とが隣接することとなる。
【００２２】
ここで、吸込口と吹出口の境界となるリブ３０（フランジリブ１ｆ）には、離間面３３が形成されているため、リブ３０に沿って吹き出される空気は、第１の領域３１から離れる方向（図９の矢印Ｘに示す方向）に誘導される。そのため、第２の領域３２から吹き出された空気が、すぐに第１の領域３１から吸い込まれてしまうショートサーキットが生じにくくなる。
【００２３】
このように、吸込口と吹出口とを、フランジ１ａと化粧グリル６との間の空間で隣接させても、ショートサーキットの発生を抑えることができるので、吸込口または吹出口の一方を化粧グリル６の外側面２９に形成せずに済む。また、ショートサーキットの発生を抑えるために化粧グリル６の外側面に凹凸を設ける必要がなくなり、外側面２９を平坦面とすることができる。これにより、空調装置の意匠性の向上を図ることができる。また、外側面２９を平坦面とすることで、加工コストを抑えることができるため、空調装置の製造コストの抑制を図ることができる。
【００２４】
また、フランジ１ａと化粧グリル６との隙間から吹き出される空気が天井２６に接触すると、天井面が汚れてしまうおそれがある。一方、本実施の形態１では、フランジ１ａに形成された傾斜面３４によって、フランジ１ａと化粧グリル６との隙間から吹き出される空気が、天井２６から離れる方向（図１０の矢印Ｙに示す方向）に誘導されるため、天井２６が汚れにくくなる。また、化粧グリル６の対向面２８に形成された突部６ｄによって、空気の流れが一旦傾斜面３４側に向けられることで、その後の傾斜面３４による空気の誘導の効果をより確実に発揮させることができる。また、空調装置から吹き出された空気が天井２６に接触するのを防ぐために、化粧グリル６の外側面２９に吹出口を形成する必要がないため、空調装置の意匠性の向上を図ることができる。なお、傾斜面３４を、第１の領域３１にあるフランジ１ａにも形成すれば、空調装置が吸い込む空気が天井２６に接触して天井面が汚れることを抑えることができる。
【００２５】
空調装置は、フランジ１ａに８箇所設けた固定ねじ取付部１ｂ（図３を参照）を利用し、４箇所以上に木ねじ等の固定ねじで天井２６へ固定される。
【００２６】
図１１は、実施の形態１における埃取フィルター２３の斜視図である。図３および図７に示すように、埃取フィルター２３は、本体１の取込口２７ａを覆うように設置される。ファンケーシング４には、埃取フィルター２３を固定するための固定部４ａおよび爪引掛部４ｂが形成される。固定部４ａおよび爪引掛部４ｂにそれぞれ埃取フィルター２３の固定部２３ａおよび爪部２３ｂを固定、嵌合させることで埃取フィルター２３をファンケーシング４に固定する。埃取フィルター２３には、着脱時に把持可能な把持部２３ｃが形成されている。
【００２７】
図１２および図１３は、実施の形態１における放電ユニット５の斜視図である。図１４は、実施の形態１における対向電極１７の斜視図である。図１５は、実施の形態１における放電ユニット５の断面図である。図１６は、実施の形態１における放電電極１６の斜視図である。図１７、図１８および図１９は、実施の形態１における放電部下カバー１５の斜視図である。図２０は、実施の形態１における脱臭フィルター１２を取外した後の放電ユニット５を示す斜視図である。図２１は、実施の形態１における脱臭フィルターカバー２１を取外した後の放電ユニット５を示す斜視図である。図２２は、実施の形態１における放電ユニット５の断面図であって、脱臭フィルター１２と対向電極１７との接地構造を示した図である。図２３は、実施の形態１における放電ユニット５の脱臭フィルターカバー２１の取外し方法を示す斜視図である。図２４は、図１２に示すＡ部分での固定構造を説明するための放電ユニット５の断面図である。図２５は、図１２に示すＢ部分の部分拡大図である。図２６は、実施の形態１における放電ユニット５と放電ユニット端子台２２との接続部分を拡大した部分拡大断面図である。図２７および図２８は、実施の形態１にかかる空調装置を下面から見た斜視図であって、化粧グリル６および放電ユニット５を取り外した状態を示す図である。図２９は、放電ユニット５内での空気の流れを模式的に示した図である。
【００２８】
放電ユニット５は、本体１の内部に形成された流路における多翼式送風機２よりも下流に設けられる。より具体的には、図１および図３に示すように、本体１の吐出口２７ｂ部分に設けられる。放電ユニット５は、脱臭フィルター１２を有しており、放電ユニット５を通して、空調装置から吹き出される空気に対して、電気集塵による集塵と脱臭とを行う。
【００２９】
放電ユニット５は、図１２、図１３および図１９に示すように、第１フレームである放電部下カバー１５、第２フレームである放電部上カバー１４、放電電極１６、対向電極１７、放電電極差込右部品１８、放電電極差込左部品１９、スプリング２０、金属端子３５で構成される放電部１３を備える。また、放電ユニット５は、脱臭フィルター１２と、第３フレームである脱臭フィルターカバー２１とを備える。
【００３０】
放電電極１６は、例えばタングステンのように電気伝導体を材料とした、断面形状が円形、もしくは角丸長方形のワイヤ状で十分な強度があるものを用いる。また、対向電極１７の材料は、例えばステンレス等の金属、カーボンなどを含有させて抵抗値を１０４Ω／ｃｍ程度まで下げた導電樹脂、または金属メッキを施した樹脂を用いてもよい。放電電極１６と対向電極１７は、水洗いができるように水で錆びにくい材質であることが好ましい。
【００３１】
対向電極１７に、金属製の板状部材を用いた場合、図１４に示すように切断と曲げ加工を行うことによって、複数の平板状の電極が平行に並んだ形で作製することが望ましい。
【００３２】
放電部１３は、図１５に示すように、放電電極１６と対向電極１７を平行に配置し、放電電極１６と対向電極１７を交互に配置する構造とする。
【００３３】
放電電極１６は、図１７および図１８に示すように、絶縁材料で形成された放電部下カバー１５に設けた放電電極引掛部１５ａに引掛けて引回し、放電電極１６の両端をスプリング２０で張力を掛けた状態で、放電部下カバー１５に配設された金属端子３５に引掛けて固定することでたるみを防止する。放電部下カバー１５には、空気を通過させる第１開口として下カバー開口１５ｂが形成されている。
【００３４】
上述したように配設された放電電極１６と対向電極１７とを絶縁するために、図１９に示すように絶縁材料で形成された放電電極差込右部品１８と放電電極差込左部品１９を放電部下カバー１５に配置し、その上に対向電極１７を配置し、図２０に示すように絶縁材料で形成された放電部上カバー１４が結合されている。放電部上カバー１４には、空気を通過させる第２開口として上カバー開口１４ｄが形成されている。また、放電部上カバー１４には、対向電極１７の脱臭フィルター接触部１７ａを貫通させるための貫通用開口１４ｅが形成されている。なお、上カバー開口１４ｄから脱臭フィルター接触部１７ａを貫通させてもよい。
【００３５】
図２１に示すように、脱臭フィルター１２は放電部上カバー１４に設置され、図１３に示すように第３フレームである脱臭フィルターカバー２１により固定される。また、脱臭フィルターカバー２１には、空気を通過させる第３開口としてのフィルターカバー開口２１ｄが形成されている。図２２に示すように、帯電部を構成する対向電極１７に形成された脱臭フィルター接触部１７ａは、放電部上カバー１４に形成された貫通用開口１４ｅを貫通して、脱臭フィルターカバー２１側に突出することで、集塵部を構成する脱臭フィルター１２と接触する。これにより、脱臭フィルター１２は対向電極１７と同電位(ＧＮＤ側)となる。本構造により放電部１３にて帯電した微粒子の捕集を、脱臭フィルター１２でも効率的に行うことができる。また、各フレームを組み合わせることで、脱臭フィルター部１７が、放電ユニット５の内部で脱臭フィルター１２に接触するので、放電ユニット５の外部で電気的に接触させる場合に比べて、部品点数を抑制して製造コストの抑制を図ることができる。
【００３６】
脱臭フィルター１２は、基材に多数の開口が存在するアルミニウム合金もしくはセラミックを用い、表面に電気伝導性を有する触媒、例えば二酸化マンガンを被着したものとする。
【００３７】
図２３、図２４および図２５に示すように、脱臭フィルターカバー２１は、爪２１ａと放電部上カバー１４の爪１４ａとの爪嵌合、脱臭フィルターカバー２１の固定部２１ｂ，２１ｃをそれぞれ放電部上カバー１４の固定部１４ｂ，１４ｃにスライドさせて固定する構造とし、着脱を容易にする。このように脱臭フィルター１２の基材をアルミニウム合金もしくはセラミックとすることで脱臭フィルター１２を水洗いすることができ、着脱を容易にすることで脱臭フィルター１２を取り出して、脱臭フィルター１２に付着した臭気成分や微粒子を洗い流しやすくするものとする。
【００３８】
図２６に示すように、放電ユニット５からは給電端子５ａ，５ｂが突出しており、給電端子５ａは金属端子３５から連続した一体の部品であり、給電端子５ｂは対向電極１７から連続した一体の部品である。
【００３９】
放電ユニット端子台２２の給電端子２２ａに給電端子５ａ，５ｂが接触することで、放電ユニット５に給電される。給電端子２２ａは高圧電源に繋がっている。また、給電端子２２ａは給電端子５ａ，５ｂと必ず接触する構造である必要があるため、弾性材料、形状とし、放電ユニット５と結合時、部品ばらつきまたは挿入ばらつきにより給電端子５ａ，５ｂと給電端子２２ａが非接触となりにくい構造とする。
【００４０】
図２７および図２８に示すように、放電ユニット５の固定部５ｃ（図１３も参照）を本体１の高圧ユニット固定部１ｃに引掛け、放電ユニット５の引掛爪５ｅ（図１２も参照）を放電ユニット端子台２２の引掛部２２ｂと嵌合することで製品に固定される。放電ユニット５の着脱は手掛部５ｄ（図１２も参照）を持ち、引き抜き、差し込みすることで容易に着脱ができる構造とする。
【００４１】
このような放電ユニット５が空調装置の本体１に取り付けられることで、多翼式送風機２の動作時には、本体１内を通過する空気流が、放電ユニット５の内部を通過する。より具体的には、放電部下カバー１５に形成された下カバー開口１５ｂを通って放電ユニット５の内部に取り込まれ、放電部上カバー１４に形成された上カバー開口１４ｄを通過し、脱臭フィルターカバー２１に形成されたフィルターカバー開口２１ｄを通って放電ユニット５の外部に排出される。
【００４２】
放電ユニット５の内部を通過する空気流は、図２９に示すように、放電電極１６と対向電極１７との間を通ってから脱臭フィルター１２を通過する。放電電極１６(正極側)と対向電極１７(ＧＮＤ側)間には、高電圧がかけられることで、放電、電界空間が生成される。多翼式送風機２の動作によって生成された空気流に含まれる細菌、かび、ウイルス等は、放電、電界空間で除去、不活化される。また、放電、電界空間で微粒子は帯電され、クーロン力によって対向電極１７と脱臭フィルター１２にて電気的に捕集される。
【００４３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４４】
１  本体、１ａ  フランジ、１ｂ  固定ねじ取付部、１ｃ  高圧ユニット固定部、１ｄ  軸受部、１ｅ  爪、１ｆ  フランジリブ、２  多翼式送風機（送風機）、３  ファン、４  ファンケーシング、４ａ  固定部、４ｂ  爪引掛部、４ｃ  ケーシングリブ、５  放電ユニット、５ａ，５ｂ  給電端子、５ｃ  固定部、５ｄ  手掛部、５ｅ  引掛爪、６  化粧グリル、６ａ  軸、６ｂ  爪、６ｃ  グリルリブ、６ｄ  突部、７  モーター、８  端子台、９  回路収納ケース、１０  制御回路、１２  脱臭フィルター、１３  放電部、１４  放電部上カバー（第２フレーム）、１４ａ  爪、１４ｂ，１４ｃ  固定部、１４ｄ  上カバー開口（第２開口）、１４ｅ  貫通用開口、１５  放電部下カバー（第１フレーム）、１５ａ  放電電極引掛部、１５ｂ  下カバー開口（第１開口）、１６  放電電極、１７  対向電極、１７ａ  脱臭フィルター接触部、１８  放電電極引掛右部品、１９  放電電極引掛左部品、２０  スプリング、２１  脱臭フィルターカバー（第３フレーム）、２１ａ  爪、２１ｂ，２１ｃ  固定部、２１ｄ  フィルターカバー開口（第３開口）、２２  高放電ユニット端子台、２２ａ  給電端子、２２ｂ  引掛部、２３  埃取フィルター、２３ａ  固定部、２３ｂ  爪部、２３ｃ  把持部、２６  天井、２７  開口、２７ａ  取込口、２７ｂ  吐出口、２８  対向面、２９  外側面、３０  リブ、３１  第１の領域、３２  第２の領域、３３  離間面、３４  傾斜面、３５  金属端子。
【図１】
2016203816.tif 000003
【図２】
2016203816.tif 000004
【図３】
2016203816.tif 000005
【図４】
2016203816.tif 000006
【図５】
2016203816.tif 000007
【図６】
2016203816.tif 000008
【図７】
2016203816.tif 000009
【図８】
2016203816.tif 000010
【図９】
2016203816.tif 000011
【図１０】
2016203816.tif 000012
【図１１】
2016203816.tif 000013
【図１２】
2016203816.tif 000014
【図１３】
2016203816.tif 000015
【図１４】
2016203816.tif 000016
【図１５】
2016203816.tif 000017
【図１６】
2016203816.tif 000018
【図１７】
2016203816.tif 000019
【図１８】
2016203816.tif 000020
【図１９】
2016203816.tif 000021
【図２０】
2016203816.tif 000022
【図２１】
2016203816.tif 000023
【図２２】
2016203816.tif 000024
【図２３】
2016203816.tif 000025
【図２４】
2016203816.tif 000026
【図２５】
2016203816.tif 000027
【図２６】
2016203816.tif 000028
【図２７】
2016203816.tif 000029
【図２８】
2016203816.tif 000030
【図２９】
2016203816.tif 000031
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
空気を通過させる第１開口が形成された第１フレームと、
空気を通過させる第２開口が形成された第２フレームと、
空気を通過させる第３開口が形成された第３フレームと、
前記第１フレームと前記第２フレームとの間に配置された放電電極と、
前記第１フレームと前記第２フレームとの間に配置された対向電極と、
前記第２フレームと前記第３フレームとの間に配置され、表面に電気伝導性を有する触媒が被着された脱臭フィルターと、を備え、
前記対向電極には、前記第２フレームから前記第３フレーム側に突出して、前記脱臭フィルターに接触する脱臭フィルター接触部が形成され、
前記第２フレームには、前記脱臭フィルター接触部が貫通する貫通用開口が形成され、
前記第１フレーム、前記第２フレームおよび前記第３フレームを組み合わせることで前記脱臭フィルター接触部を介して前記脱臭フィルターと前記対向電極とが接触することを特徴とする放電ユニット。
【請求項２】
前記対向電極は、平行に並べられた複数の平板状の電極を有することを特徴とする請求項１に記載の放電ユニット。
【請求項３】
前記第２フレームと前記第３フレームとには、前記第２フレームと前記第３フレームとを組み合わせた状態で互いに嵌合する嵌合部が形成され、
前記第２フレームをスライドさせることで前記嵌合部同士の嵌合が解除されて、前記脱臭フィルターが着脱可能となることを特徴とする請求項１または２に記載の放電ユニット。
【請求項４】
一面に開口が形成された箱体形状を呈する本体と、
前記箱体の内部に収容された請求項１から３のいずれか１つに記載の放電ユニットと、
前記箱体の内部に収容されて前記第１開口から前記第３開口に向かう空気流を発生させる送風機と、を備えることを特徴とする空調装置。
【手続補正２】
【補正対象書類名】明細書
【補正対象項目名】００３５
【補正方法】変更
【補正の内容】
【００３５】
図２１に示すように、脱臭フィルター１２は放電部上カバー１４に設置され、図１３に示すように第３フレームである脱臭フィルターカバー２１により固定される。また、脱臭フィルターカバー２１には、空気を通過させる第３開口としてのフィルターカバー開口２１ｄが形成されている。図２２に示すように、帯電部を構成する対向電極１７に形成された脱臭フィルター接触部１７ａは、放電部上カバー１４に形成された貫通用開口１４ｅを貫通して、脱臭フィルターカバー２１側に突出することで、集塵部を構成する脱臭フィルター１２と接触する。これにより、脱臭フィルター１２は対向電極１７と同電位(ＧＮＤ側)となる。本構造により放電部１３にて帯電した微粒子の捕集を、脱臭フィルター１２でも効率的に行うことができる。また、各フレームを組み合わせることで、脱臭フィルター接触部１７ａが、放電ユニット５の内部で脱臭フィルター１２に接触するので、放電ユニット５の外部で電気的に接触させる場合に比べて、部品点数を抑制して製造コストの抑制を図ることができる。
【手続補正３】
【補正対象書類名】明細書
【補正対象項目名】００４４
【補正方法】変更
【補正の内容】
【００４４】
１  本体、１ａ  フランジ、１ｂ  固定ねじ取付部、１ｃ  高圧ユニット固定部、１ｄ  軸受部、１ｅ  爪、１ｆ  フランジリブ、２  多翼式送風機（送風機）、３  ファン、４  ファンケーシング、４ａ  固定部、４ｂ  爪引掛部、４ｃ  ケーシングリブ、５  放電ユニット、５ａ，５ｂ  給電端子、５ｃ  固定部、５ｄ  手掛部、５ｅ  引掛爪、６  化粧グリル、６ａ  軸、６ｂ  爪、６ｃ  グリルリブ、６ｄ  突部、７  モーター、８  端子台、９  回路収納ケース、１０  制御回路、１２  脱臭フィルター、１３  放電部、１４  放電部上カバー（第２フレーム）、１４ａ  爪、１４ｂ，１４ｃ  固定部、１４ｄ  上カバー開口（第２開口）、１４ｅ  貫通用開口、１５  放電部下カバー（第１フレーム）、１５ａ  放電電極引掛部、１５ｂ  下カバー開口（第１開口）、１６  放電電極、１７  対向電極、１７ａ  脱臭フィルター接触部、１８  放電電極引掛右部品、１９  放電電極引掛左部品、２０  スプリング、２１  脱臭フィルターカバー（第３フレーム）、２１ａ  爪、２１ｂ，２１ｃ  固定部、２１ｄ  フィルターカバー開口（第３開口）、２２  放電ユニット端子台、２２ａ  給電端子、２２ｂ  引掛部、２３  埃取フィルター、２３ａ  固定部、２３ｂ  爪部、２３ｃ  把持部、２６  天井、２７  開口、２７ａ  取込口、２７ｂ  吐出口、２８  対向面、２９  外側面、３０  リブ、３１  第１の領域、３２  第２の領域、３３  離間面、３４  傾斜面、３５  金属端子。
【国際調査報告】
2016203816.tif 000032
2016203816.tif 000033
2016203816.tif 000034
2016203816.tif 000035